(57)【要約】【課題】内部に収納した電気機器が短絡電流を遮断する際に発生するガスによって扉が開くことを防止するとともに、安全上の問題も解消した電気機器収納用箱を提供する。【解決手段】本発明の電気機器収納用箱は、短絡遮断機能を有する電気機器が収納される箱本体１とその開口部を覆う扉２とからなり、箱本体１の開口部に扉２との接合８部となる外側辺部６を形成するとともに、この外側辺部６よりも内側に外側辺部６よりも高い絶縁隔壁９を形成する。この外側辺部６と絶縁隔壁９との間の溝部の底面にガス排出孔１０を設け、短絡電流遮断時のガスを逃す。ガス排出孔１０をスリット状とし、箱本体１の全周にわたり設けることが好ましい。【選択図】図１
2011101477.tif 000002
【特許請求の範囲】
【請求項１】
短絡遮断機能を有する電気機器が収納される箱本体とその開口部を覆う扉とを備え、箱本体の開口部に扉との接合部となる外側辺部を形成するとともに、この外側辺部よりも内側に外側辺部よりも高い絶縁隔壁を形成した電気機器収納用箱であって、外側辺部と絶縁隔壁との間の溝部の底面にガス排出孔を設けたことを特徴とする電気機器収納用箱。
【請求項２】
ガス排出孔をスリット状とし、箱本体の全周にわたり設けたことを特徴とする請求項１記載の電気機器収納用箱。
【請求項３】
扉の係止部を、ガス排出孔に係合するように設けたことを特徴とする請求項１に記載の電気機器収納用箱。
【請求項４】
ガス排出孔を塞ぐ薄板部を設けたことを特徴とする請求項１に記載の電気機器収納用箱。
【発明の詳細な説明】
【技術分野】
【０００１】
本発明は、回路遮断器や漏電遮断器などの短絡遮断機能を有する電気機器を収納するための電気機器収納用箱に関するものである。
【背景技術】
【０００２】
回路遮断器や漏電遮断器などの短絡遮断機能を有する電気機器を、扉を備えた比較的小型の電気機器収納用箱に収納することがある（例えば特許文献１）。このような比較的小型の電気機器収納用箱は箱内容積に十分な余裕のないのが普通である。このため、内蔵された電気機器が短絡電流を遮断する際に噴出する高温高圧のガスにより箱の内圧が急上昇し、箱本体の開口部を覆っている扉が開いてしまうおそれがあった。またその際には箱本体と扉との間から高温のガスが周囲に噴出するため、電気機器収納用箱の付近に人が居る場合には安全上の問題もあった。
【先行技術文献】
【特許文献】
【０００３】
【特許文献１】特開２００６−２３０１５３号公報
【発明の概要】
【発明が解決しようとする課題】
【０００４】
本発明は上記した従来の問題点を解決し、短絡電流の遮断時に発生するガスによって扉が開くことを防止するとともに、安全上の問題も解消した電気機器収納用箱を提供することを目的とするものである。
【課題を解決するための手段】
【０００５】
上記の課題を解決するためになされた本発明は、短絡遮断機能を有する電気機器が収納される箱本体とその開口部を覆う扉とを備え、箱本体の開口部に扉との接合部となる外側辺部を形成するとともに、この外側辺部よりも内側に外側辺部よりも高い絶縁隔壁を形成した電気機器収納用箱であって、外側辺部と絶縁隔壁との間の溝部の底面にガス排出孔を設けたことを特徴とするものである。なお、ガス排出孔をスリット状とし、箱本体の全周にわたり設けることが好ましく、また扉の係止部をガス排出孔に係合するように設けることが好ましく、またガス排出孔を塞ぐ薄板部を設けることが好ましい。
【発明の効果】
【０００６】
本発明の電気機器収納用箱は、外側辺部と絶縁隔壁との間の溝部の底面にガス排出孔を設けたものであるので、内蔵された電気機器が短絡電流を遮断した際に発生する高温高圧のガスはこのガス排出孔から排出され、内圧によって扉が開くことがない。しかもガスは外側辺部と絶縁隔壁との間を通り、溝部の底面から扉とは反対側、すなわち壁面側に噴出するので、その付近に人が居た場合にも安全上の問題はない。
【０００７】
なお、ガス排出孔をスリット状として箱本体の全周にわたり設ければ、ガス排出孔の有効断面積を大きくすることができ、内圧の上昇を抑制することができる。また個々のガス排出孔は小さくできるので、外部から針金などが挿入されることもない。また、扉の係止部をガス排出孔に係合するように設ければ、係合部がガス排出孔の内部に嵌り込み、強固に扉が係合される。また、ガス排出孔を塞ぐ薄板部を設ければ、防水仕様の箱体として屋外で使用することもでき、短絡電流の遮断時には発生するガスによって薄板部を破ってガスを排出することができる。
【図面の簡単な説明】
【０００８】
【図１】本発明の実施形態を示す斜視図である。
【図２】扉を除いた箱本体の斜視図である。
【図３】要部の断面図である。
【図４】扉を除いた箱本体の平面図である。
【図５】箱本体の底面図である。
【図６】ガス排出経路の説明図である。
【図７】扉に係止部の断面図である。
【発明を実施するための形態】
【０００９】
以下に本発明の好ましい実施形態を示す。
図１に示すように、本発明の電気機器収納用箱は箱本体１と、その開口部を覆う開閉可能な扉２とからなる。箱本体１は樹脂製でありその内部に短絡遮断機能を有する電気機器３、例えばブレーカを収納するためのものである。
【００１０】
この実施形態では箱本体１の底面上部にだるま孔１１が形成されており、壁面に掛けることができる構造となっている。扉２も樹脂製であり、その片側を蝶番４によって箱本体１の開口部に枢着され、鎖錠部５によって閉鎖状態を維持できる構造となっている。電気機器３は大容量のものであって、箱内容積はこの電気機器３を単独で収納するに足る程度のものであり、分電盤や配電盤のように十分な箱内容積を備えたものではない。
【００１１】
箱本体１の開口部には全周にわたり、外側辺部６が形成されている。図３に示すように、この外側辺部６は水平辺部７により箱本体１の開口部の外周に連結され、外側辺部６の上端面が扉２との接合部８となり、扉２を受ける構造となっている。また、この外側辺部６よりも内側に、箱本体１の開口部を形成する絶縁隔壁９が形成されている。絶縁隔壁９は外側辺部６よりも高く、この構造により扉２を閉じた状態で接合部７から針金などを挿入しても絶縁隔壁９が障壁となり、内部の電気機器に達しないようになっている。
【００１２】
本発明では、外側辺部６と絶縁隔壁９との間の溝部の底面である水平辺部７に、ガス排出孔１０が設けられている。ガス排出孔１０は、図４、図５に示すように水平辺部７を貫通している。その形状及び配置は任意であるが、この実施形態では有効断面積を大きくするために細長いスリット状とし、箱本体１の全周にわたり形成されている。
【００１３】
このように形成された本発明の電気機器収納用箱は、内蔵された電気機器３が短絡電流を遮断する際に高温高圧のガスを発生して箱の内圧が高まると、図６に示すようにガスは扉２の裏面に沿って誘導され、絶縁隔壁９との間を通って溝部の底面に流れ、多数のガス排出孔１０から速やかに排出される。このため従来のように扉２が内圧によって開くことがない。またガスの排出方向は扉２とは反対側、すなわち壁面側となるので、その付近に人が居た場合にも安全上の問題はない。
【００１４】
なお、このようなガスの誘導効果を高めるためには、実施形態のように扉２のコーナー部を断面円弧状に形成しておくことが好ましいが、扉２の形状はこれに限定されるものではない。
【００１５】
また図７は、扉の係止部の断面図である。扉２の開閉を行う取手１２は扉端部から突設して設けられ、取手１２から延設して先端に係止部１４を備える係止片１３が設けられている。この係止片１４は前記ガス排出孔１０に係合しており、取手１２を手前に引くと扉２が弾性変形してガス排出孔１０から係止部１４が外れ、扉２を開くことができるものである。
【００１６】
この構造のものでは、係合部１４がガス排出孔１０の内部に嵌り込み、扉側の係止片１３が箱側の外側辺部６の端部略コ字状に係合することとなり、扉を強固に係合することができるものである。また図７のものはガス排出孔１０の適宜高さの位置にガス排出孔１０を塞ぐ薄板部１５が設けられているので、防水仕様の箱体として屋外で仕様することもでき、短絡電流の遮断時には発生するガスによって薄板部１５を破ってガスを排出することができる。
【符号の説明】
【００１７】
１  箱本体
２  扉
３  電気機器
４  蝶番
５  鎖錠部
６  外側辺部
７  水平辺部
８  接合部
９  絶縁隔壁
１０  ガス排出孔
１１  だるま孔
１２  取手
１３  係止片
１４  係止部
１５  薄板部
【図１】
2011101477.tif 000003
【図２】
2011101477.tif 000004
【図３】
2011101477.tif 000005
【図４】
2011101477.tif 000006
【図５】
2011101477.tif 000007
【図６】
2011101477.tif 000008
【図７】
2011101477.tif 000009